(57)【要約】【課題】  吸入グリルが開かれてギヤが外れても吸込パネルを所定の位置に維持することができる空気調和機を提供する。【解決手段】  空気調和機は、開閉自在に設けられた吸入グリル１と、空気を吸い込むために吸入グリル１の外側に開閉自在に設けられた吸込パネル２と、吸入グリル１の開閉を検出する吸入グリル開閉検出器３と、吸入グリル開閉検出器３によって検出された吸入グリル１の開閉に応じて吸込パネル２を開閉する吸込パネル開閉器５とを具備する。【選択図】  図１
2005114256.tif 000002
【特許請求の範囲】
【請求項１】
空気調和機本体に対して開閉自在に設けられた吸入グリルと、
空気を吸い込むために前記吸入グリルの外側に開閉自在に設けられた吸込パネルと、
前記吸入グリルの開閉を検出する吸入グリル開閉検出手段と、
前記吸入グリル開閉検出手段によって検出された前記吸入グリルの開閉に応じて前記吸込パネルを開閉する吸込パネル開閉手段とを具備しており、
前記吸込パネル開閉手段は、前記空気調和機本体側に設けられた第１駆動機構と、前記吸入グリルの開閉に応じて前記第１駆動機構と着脱自在に設けられた第２駆動機構とを含んでいることを特徴とする空気調和機。
【請求項２】
前記吸入グリルの内側には、高電圧が印加される部品が配置されている、請求項１記載の空気調和機。
【請求項３】
前記吸入グリル開閉検出手段によって検出された前記吸入グリルの開閉を表す信号に基づいて、前記吸込パネルを開閉するように前記吸込パネル開閉手段を制御する制御手段をさらに具備する、請求項１記載の空気調和機。
【請求項４】
前記制御手段は、前記吸入グリルの開閉を表す信号に基づいて、原点である閉状態に前記吸込パネルを移動させた後、前記吸込パネルを再度開くように前記吸込パネル開閉手段を制御する、請求項３記載の空気調和機。
【請求項５】
前記吸込パネルの送り度を記憶するために設けられた記憶手段をさらに具備しており、
前記制御手段は、前記吸入グリルの開閉を表す信号に基づいて、原点である閉状態に前記吸込パネルを移動させた後、前記記憶手段に記憶された前記送り度分だけ前記吸込パネルを開くように前記吸込パネル開閉手段を制御する、請求項４記載の空気調和機。
【請求項６】
前記制御手段は、前記吸入グリルが閉じていることを示す信号を受信したときに、原点である閉状態に前記吸込パネルを移動させた後、前記吸込パネルを再度開くように前記吸込パネル開閉手段を制御する、請求項３記載の空気調和機。
【請求項７】
前記吸入グリル開閉検出手段によって検出された前記吸入グリルの開閉を表す信号を認識してからの時間を計時する計時手段をさらに具備しており、
前記制御手段は、前記計時手段によって計時された前記時間が所定の時間を経過したときに、原点である閉状態に前記吸込パネルを移動させた後、前記吸込パネルを開くように前記吸込パネル開閉手段を制御する、請求項３記載の空気調和機。
【請求項８】
前記吸入グリル開閉検出手段によって検出された前記吸入グリルの開閉を表す信号を、前記空気調和機の停止時においても認識する認識手段をさらに具備しており、
前記制御手段は、前記空気調和機の次の運転時において、前記認識手段による認識結果に基づいて、原点である閉状態に前記吸込パネルを移動させた後、前記吸込パネルを開くように前記吸込パネル開閉手段を制御する、請求項３記載の空気調和機。
【請求項９】
前記制御手段は、前記空気調和機の運転時において、原点である閉状態に前記吸込パネルを移動させた後、前記吸込パネルを開くように前記吸込パネル開閉手段を制御する、請求項３記載の空気調和機。
【請求項１０】
前記制御手段は、原点である閉状態に前記吸込パネルを移動させ、前記空気調和機の停止状態から駆動する際と電源投入の際とで、前記原点である閉状態への前記吸込パネルの移動の送り度を切り替える、請求項３記載の空気調和機。
【請求項１１】
前記吸入グリル開閉検出手段によって検出された前記吸入グリルの開閉を表す信号を、前記空気調和機の停止時においても認識する認識手段と、
原点である閉状態に前記吸込パネルを移動させた後、前記吸込パネルを開くまでの時間を計測する計時手段と、
室内風量を切り替える風量切り替え手段とをさらに具備しており、
前記風量切り替え手段は、前記計時手段が計時している間のみ前記室内風量を切り替える、請求項１記載の空気調和機。
【発明の詳細な説明】
【技術分野】
【０００１】
本発明は、内外に分離されたセパレートタイプの空気調和機において、吸込パネルを自動駆動にて開閉する開閉機構を有する空気調和機に関する
【背景技術】
【０００２】
空気調和機の室内機吸込口の果たす役割としては、空気調和機停止時においては意匠性の向上および埃等の内部への侵入防止であり、空気調和機運転時においては空気調和機の性能を最大限に発揮するために、開口を大きくとり、空気吸込の抵抗を最小にすることである。
【０００３】
そのため、近年では空気調和機に設けられた吸込パネルの全てもしくは一部が自動的に駆動される。つまり、停止時においては吸込パネルが閉じられているのに対し、運転時においては吸込パネルが自動的に駆動され、開かれるという開閉機構を有したものが商品化されている。
【０００４】
図１５は特許文献１に開示された従来の空気調和機の室内機の構成を示す断面図であり、図１６は従来の室内機に設けられた吸込パネルの開閉機構の構成を示す模式図である。
【０００５】
開閉機構の構造としては図１５および図１６に示すように、駆動電源部１３０１は図示しない制御装置から動力と信号が伝えられる為、台枠１３０２もしくは熱交換器１３０３等に固定されるのが一般的である。そして駆動電源部１３０１から駆動メカ部１３０６を介して吸込パネル１３０４へと動力が伝えられることとなる。
【０００６】
それに対し吸込パネル１３０４は、空気清浄フィルタ１３０８等が配置されている吸入グリル１３０５に取り付けられており、運転時には吸込パネル１３０４のみが駆動され吸込口を確保する仕様となる。その吸込パネル１３０４は、吸込空気と触れることで汚れが生じるため、また市場にてサービスを行う可能性が有るために、吸入グリル１３０５に対して容易に脱着される構造になっている必要性がある。
【０００７】
そのために吸込パネル１３０４を駆動させる駆動メカ部１３０６は吸入グリル１３０５側に固定されている。
【０００８】
そのため、駆動電源部１３０１と駆動メカ部１３０６とは容易に脱着される必要があるので、吸入グリル１３０５側に設けられた駆動メカ部１３０６のギヤ構造と、駆動電源部１３０１に連続して設けられ、駆動メカ部１３０６のギヤ構造と噛み合って駆動メカ部１３０６を回動させる駆動伝達部１３０７のギヤ構造との着脱可能な嵌合構造によって、吸入パネル１３０４を開閉するための動力伝達メカニズムが構成される。
【０００９】
つまり、空気調和機の運転時において吸込パネル１３０４が開かれた状態においては、その吸込パネル１３０４は、駆動メカ部１３０６及びギヤ等の駆動伝達部１３０７を介して、駆動電源部１３０１が固定されている台枠１３０２もしくは熱交換器１３０３等に支持されている。
【００１０】
本体側に固定される駆動電源部１３０１は、その内部に設けられたモータ１２０２とその動力を拡大するためのギヤ１２０３とにより構成されている。一方、吸入グリル１３０５側にある駆動メカ部１２０４は、本体からの伝達を受けるギヤ１２０５と、ギヤ１２０５と同期する主軸１２０６とにより構成されており、その主軸１２０６を回転させることで吸込パネル１３０４を駆動している。
【００１１】
つまり、駆動電源１３０１内部のモータ１２０２の駆動ギヤ１２０３、１２０５を通して、その動力を受け、吸込パネル１３０４を駆動しているわけだが、吸入グリル１３０５が開かれると、吸入グリル１３０５側に構成されている駆動ギヤ１２０５も同時に引き上げられる。このため、ギヤ１２０５とギヤ１２０３同士が外れることとなる。そうすると吸込パネル１３０４を支持しているものは何も無くなり、その結果、重力によってパネル閉の位置まで吸込パネル１３０４が移動することとなる。
【特許文献１】特開２００３−７４８９６号公報
【発明の開示】
【発明が解決しようとする課題】
【００１２】
しかしながら、上記従来の技術では、空気調和機の運転時においては駆動メカ部１３０６が吸込パネル１３０４を支持する唯一の支持部となっている為、駆動伝達部のギヤ１２０３がギヤ１２０５と外れた場合は吸込パネル１３０４は支持を失い、重力により閉じられた状態となる。
【００１３】
例えば、ユーザーが運転時にフィルタ等の清掃のため、吸入グリル１３０５を開くと、その上に構成されている吸込パネル１３０４も同時に開かれる。そうすると吸込パネル１３０４に固定されている駆動メカも同時に追従する為、駆動メカ部１３０６に設けられたギヤ１２０５は駆動電源部に設けられたギヤ１２０３と外れてしまう。そして駆動メカ自身にも動力が伝わらなくなるため、閉止状態の位置まで戻ってしまう。そのため、再度吸入グリル１３０５が閉じられても吸込パネル１３０４は運転時における当初の位置では無く、停止時における位置にある。つまり吸込パネル１３０４は閉状態までいっていまうという課題があった。
【００１４】
また、運転時において吸込パネル１３０４が閉じられた状態で運転が継続されると、熱交換器１３０３に供給されるべき風量が極端に減少し、必要な能力が出なくなったり、また必要以上の入力を必要とするといった課題が生じる。
【００１５】
また、吸入グリル１３０５が開かれても、ギヤ１２０５および１２０３同士が外れなかったり、一度外れてもその後の操作にてギヤ１２０５および１２０３同士が再度組み合ったりして完全に停止位置まで戻らない場合がある。その場合、再度所定の位置までデータを送ると開始点がずれているため、狙いの位置以上に大きく動いてしまうという課題があった。
【００１６】
また、吸込パネル１３０４の位置が吸入グリル１３０５の開閉を行う前の位置とずれることでユーザーが違和感を覚えたり、吸込パネル１３０４の必要な開口が確保されないという不具合が生じる可能性があった。
【００１７】
また、吸入グリル１３０５が開かれることで吸込パネル１３０４が閉止してしまうと、ギヤ噛み合いの相対的な位置がずれてしまい、ギヤ１２０５および１２０３がうまく噛み合わず、閉動作がうまくいかない恐れがあるという課題を生じた。
【００１８】
また、停止時に吸込パネル１３０４が開かれた場合も、ギヤ１２０５および１２０３がずれる恐れが有り、その際も停止位置にまで戻らない場合がある。この場合、再度所定の位置までデータを送ると開始点がずれているため、狙いの位置以上に大きく動いてしまうという課題があった。
【００１９】
また、停止中に開閉を検出するには、常に回路に通電する必要があり、結果として回路に電流を流している事となり、ユーザーが空気調和機を使わないときも待機電力の上昇に繋がるといった課題を生じた。
【００２０】
また、運転開始時に常にリセット動作を行うと所定の位置に移動するまでの時間を要するといった課題を生じた。
【００２１】
また、リセット動作中は所定の位置まで吸込パネル１３０４が開いていない可能性が有るため、狙いの能力が発揮できない恐れが有るという課題を生じた。
【００２２】
本発明の目的は、吸入グリルが開かれてギヤが外れても吸込パネルを所定の位置に維持することができる空気調和機を提供することにある。
【課題を解決するための手段】
【００２３】
本発明に係る空気調和機は、空気調和機本体に対して開閉自在に設けられた吸入グリルと、空気を吸い込むために前記吸入グリルの外側に開閉自在に設けられた吸込パネルと、前記吸入グリルの開閉を検出する吸入グリル開閉検出手段と、前記吸入グリル開閉検出手段によって検出された前記吸入グリルの開閉に応じて前記吸込パネルを開閉する吸込パネル開閉手段とを具備しており、前記吸込パネル開閉手段は、前記空気調和機本体側に設けられた第１駆動機構と、前記吸入グリルの開閉に応じて前記第１駆動機構と着脱自在に設けられた第２駆動機構とを含んでいることを特徴とする。
【発明の効果】
【００２４】
本発明によれば、吸入グリルが開かれてギヤが外れても吸込パネルを所定の位置に維持することができる空気調和機を提供することができる。
【発明を実施するための最良の形態】
【００２５】
本実施の形態に係る空気調和機においては、吸入グリル開閉検出手段によって検出された吸入グリルの開閉に応じて吸込パネル開閉手段が吸込パネルを開閉する。このため、吸入グリルが開いている状態を検知すると、吸込パネルを開く動作を行う。その結果、吸込パネルが閉じられたままの状態で空気調和機が運転することを防止することができる。
【００２６】
この実施の形態では、前記吸入グリルの内側に高電圧が印加される部品が配置されていると、吸入グリル開閉手段を兼用できるので好ましい。
【００２７】
前記吸入グリル開閉検出手段によって検出された前記吸入グリルの開閉を表す信号に基づいて、前記吸込パネルを開閉するように前記吸込パネル開閉手段を制御する制御手段をさらに具備することが好ましい。
【００２８】
前記制御手段は、前記吸入グリルの開閉を表す信号に基づいて、原点である閉状態に前記吸込パネルを移動させた後、前記吸込パネルを再度開くように前記吸込パネル開閉手段を制御することが好ましい。
【００２９】
前記吸込パネルの送り度を記憶するために設けられた記憶手段をさらに具備しており、前記制御手段は、前記吸入グリルの開閉を表す信号に基づいて、原点である閉状態に前記吸込パネルを移動させた後、前記記憶手段に記憶された前記送り度分だけ前記吸込パネルを開くように前記吸込パネル開閉手段を制御することが好ましい。
【００３０】
前記制御手段は、前記吸入グリルが閉じていることを示す信号を受信したときに、原点である閉状態に前記吸込パネルを移動させた後、前記吸込パネルを再度開くように前記吸込パネル開閉手段を制御することが好ましい。
【００３１】
前記吸入グリル開閉検出手段によって検出された前記吸入グリルの開閉を表す信号を認識してからの時間を計時する計時手段をさらに具備しており、前記制御手段は、前記計時手段によって計時された前記時間が所定の時間を経過したときに、原点である閉状態に前記吸込パネルを移動させた後、前記吸込パネルを開くように前記吸込パネル開閉手段を制御することが好ましい。
【００３２】
前記吸入グリル開閉検出手段によって検出された前記吸入グリルの開閉を表す信号を、前記空気調和機の停止時においても認識する認識手段をさらに具備しており、前記制御手段は、前記空気調和機の次の運転時において、前記認識手段による認識結果に基づいて、原点である閉状態に前記吸込パネルを移動させた後、前記吸込パネルを開くように前記吸込パネル開閉手段を制御することが好ましい。
【００３３】
前記制御手段は、前記空気調和機の運転時において常に、原点である閉状態に前記吸込パネルを移動させた後、前記吸込パネルを開くように前記吸込パネル開閉手段を制御することが好ましい。
【００３４】
前記制御手段は、原点である閉状態に前記吸込パネルを移動させ、前記空気調和機の停止状態から駆動する際と電源投入の際とで、前記原点である閉状態への前記吸込パネルの移動の送り度を切り替えることが好ましい。
【００３５】
前記吸入グリル開閉検出手段によって検出された前記吸入グリルの開閉を表す信号を、前記空気調和機の停止時においても認識する認識手段と、原点である閉状態に前記吸込パネルを移動させた後、前記吸込パネルを開くまでの時間を計測する計時手段と、室内風量を切り替える風量切り替え手段とをさらに具備しており、前記風量切り替え手段は、前記計時手段が計時している間のみ前記室内風量を切り替えることが好ましい。
【００３６】
以下、図面を参照して本発明の実施の形態を説明する。
【００３７】
（実施の形態１）
図１は実施の形態１に係る空気調和機１００の構成を示すブロック図であり、図２は実施の形態１に係る空気調和機１００の室内機の構成を示す断面図であり、図３は実施の形態１に係る空気調和機１００の室内機に設けられた吸込パネルの開閉機構の構成を示す模式図である。
【００３８】
空気調和機１００は、空気調和機本体に対して開閉自在に設けられた吸入グリル１を備えている。空気調和機１００には、吸込パネル２が設けられている。吸込パネル２は、空気を吸い込むために吸入グリル１の外側に開閉自在に設けられている。
【００３９】
空気調和機１００は、吸入グリル１の開閉を検出する吸入グリル開閉検出器３と、吸入グリル開閉検出器３によって検出された吸入グリル１の開閉に応じて吸込パネル２を開閉する吸込パネル開閉器５とを備えている。
【００４０】
吸込パネル開閉器５は、モータ１２０２とモータ１２０２の回転を伝達するために設けられたギヤ１３０７とを有する駆動電源部１３０１と、ギヤ１３０７と噛み合うように主軸１２０６の周りに設けられたギヤ１２０５と、ギヤ１２０５の回転に連動して吸込パネル２を駆動するように設けられた駆動メカ部１２０４とを含んでいる。
【００４１】
空気調和機の運転時に吸込パネル２が開かれた状態においては、その吸込パネル２は、駆動メカ部１２０４及びギヤ１２０５および１３０７を介して、駆動電源部１３０１が固定されている台枠１３０２もしくは熱交換器１３０３等に支持されている。吸入グリル１の内側には、空気清浄フィルタ１３０８が設けられている。
【００４２】
吸入グリル１の内側には、高電圧が印加される電気集塵器の接点、マイナスイオン発生装置の電極等の図示しない部品が配置されている。
【００４３】
空気調和機１００には、制御器４が設けられている。制御器４は、吸入グリル開閉検出器３によって検出された吸入グリル１の開閉を表す信号に基づいて、吸込パネル２を開閉するように吸込パネル開閉器５を制御する。
【００４４】
制御器４は、吸入グリル１の開閉を表す信号に基づいて、原点である閉状態に吸込パネル２を移動させた後、吸込パネル２を再度開くように吸込パネル開閉器５を制御する。
【００４５】
空気調和機１００は、吸込パネル２の送り度を記憶するために設けられたメモリ８をさらに備えており、制御器４は、吸入グリル１の開閉を表す信号に基づいて、原点である閉状態に吸込パネル２を移動させた後、メモリ８に記憶された送り度分だけ吸込パネル２を開くように吸込パネル開閉器５を制御する。
【００４６】
制御器４は、吸入グリル１が閉じていることを示す信号を受信したときに、原点である閉状態に吸込パネル２を移動させた後、吸込パネル２を再度開くように吸込パネル開閉器５を制御する。
【００４７】
空気調和機１００は、吸入グリル開閉検出器３によって検出された吸入グリル１の開閉を表す信号を認識してからの時間を計時するタイマー６をさらに備えており、制御器４は、タイマー６によって計時された時間が所定の時間を経過したときに、原点である閉状態に吸込パネル２を移動させた後、吸込パネル２を開くように吸込パネル開閉器５を制御する。
【００４８】
空気調和機１００は、吸入グリル開閉検出器３によって検出された吸入グリル１の開閉を表す信号を、空気調和機１００の停止時においても認識する認識器７をさらに具備しており、制御器４は、空気調和機１００の次の運転時において、認識器７による認識結果に基づいて、原点である閉状態に吸込パネル２を移動させた後、吸込パネル２を開くように吸込パネル開閉器５を制御する。
【００４９】
空気調和機１００は、室内風量を切り替える風量切り替え器９をさらに備えている。風量切り替え器９は、タイマー６が計時している間のみ室内風量を切り替える。
【００５０】
このように構成された空気調和機１００の動作を説明する。図４は、実施の形態１に係る空気調和機１００の動作を示すフローチャートである。
【００５１】
吸入グリル開閉検出器３は、吸入グリル１が開くと（ステップＳ１０１）、吸入グリル１が開いたことを検出する（ステップＳ１０２）。そして吸入グリル開閉検出器３は、吸入グリルオープン信号を制御器４へ送信する（ステップＳ１０３）。次に制御器４は、吸入グリルオープン信号を受信すると（ステップＳ１０４）、空気調和機停止信号を発信し（ステップＳ１０５）、空気調和機が停止する（ステップＳ１０６）。
【００５２】
その後所定の空気調和機停止時間を経た後、制御器４は空気調和機運転信号を発信し、空気調和機が運転開始される。そして、吸込パネル開閉器５は、吸込パネル２をオープンする（ステップＳ１０７）。
【００５３】
（実施の形態２）
図５は、実施の形態２に係る空気調和機の動作を示すフローチャートである。実施の形態２に係る空気調和機は、実施の形態１において前述した空気調和機１００と同一の構成を有している。実施の形態１において前述した図４に示すフローチャートの構成要素と同一の構成要素には同一の参照符号を付している。従って、これらの構成要素の詳細な説明は省略する。
【００５４】
高圧電源等の高電圧が印加される部品が、吸入グリル１の内側に配置されている場合には、吸入グリル１が開かれた事を検出する吸入グリル開閉検出器３を設けていることが一般的である。
【００５５】
その吸入グリル開閉検出器３から送信された吸入グリルオープン信号を制御器４が受信したときは（ステップＳ１０４）、制御器４は、空気調和機停止信号を発信するとともに、空気清浄電源ＯＦＦ信号を発信する（ステップＳ２０８）。そして、吸入グリルが閉じているか否かを判定する（ステップＳ２０９）。吸入グリルが閉じていないと判断したときは（ステップＳ２０９においてＮＯ）、ステップＳ２０８へ戻る。吸入グリルが閉じていると判断したときは（ステップＳ２０９においてＹＥＳ）、空気清浄電源をオンする（ステップＳ２１０）。このように、一つの吸入グリルオープン信号によって同時に二つの機能を果たすことができる。
【００５６】
（実施の形態３）
図６は、実施の形態３に係る空気調和機の動作を示すフローチャートである。実施の形態３に係る空気調和機は、実施の形態１において前述した空気調和機１００と同一の構成を有している。実施の形態１において前述した図４に示すフローチャートの構成要素と同一の構成要素には同一の参照符号を付している。従って、これらの構成要素の詳細な説明は省略する。
【００５７】
吸入グリル１がオープンしていることを示す吸入グリルオープン信号を制御器４によって受信すると（ステップＳ１０４）、吸込パネル２が閉状態である可能性が高いため、吸込パネル２を開くための吸込パネルオープン信号を制御器４は吸込パネル開閉器５へ送信する（ステップＳ３０５）。そして、吸込パネル開閉器５は、吸込パネル２を開く。このように吸込パネルオープン信号によって吸込パネル２が再度開かれることで空気調和機としての運転は継続される。
【００５８】
（実施の形態４）
図７は、実施の形態４に係る空気調和機の動作を示すフローチャートである。実施の形態４に係る空気調和機は、実施の形態１において前述した空気調和機１００と同一の構成を有している。実施の形態１において前述した図４に示すフローチャートの構成要素と同一の構成要素には同一の参照符号を付している。従って、これらの構成要素の詳細な説明は省略する。
【００５９】
吸入グリル１がオープンしていることを示す吸入グリルオープン信号を制御器４によって受信すると（ステップＳ１０４）、吸込パネル２が閉じられてしまっているおそれが高い。しかもどこの位置にいるかが不明である為、一度パネル閉信号を制御器４は、吸込パネル開閉器５へ送信する（ステップＳ４０５）。そして吸込パネル開閉器５は、吸込パネル２を閉状態まで完全に閉じて、原点へと位置決めする。その後、吸込パネルオープン信号を制御器４は吸込パネル開閉器５へ送信する（ステップＳ４０６）。そして、吸込パネル開閉器５は、吸込パネル２を開く。このようにして、確実に所定の位置まで吸込パネル２を移動させることが出来る。
【００６０】
（実施の形態５）
図８は、実施の形態５に係る空気調和機の動作を示すフローチャートである。実施の形態５に係る空気調和機は、実施の形態１において前述した空気調和機１００と同一の構成を有している。実施の形態１において前述した図４に示すフローチャートの構成要素と同一の構成要素には同一の参照符号を付している。従って、これらの構成要素の詳細な説明は省略する。
【００６１】
まず、メモリ８に吸込パネル２の現在の位置を記憶する（ステップＳ５０１）。そして、吸入グリル開閉検出器３は、吸入グリル１が開くと（ステップＳ１０１）、吸入グリル１が開いたことを検出する（ステップＳ１０２）。そして吸入グリル開閉検出器３は、吸入グリルオープン信号を制御器４へ送信する（ステップＳ１０３）。次に制御器４は、吸入グリルオープン信号を受信する（ステップＳ１０４）。
【００６２】
その後、制御器４はメモリ８に記憶された吸込パネル２の現在の位置に相当する送り度分のみ吸込パネル２を送るためのパネルオープン信号を吸込パネル開閉器５へ送信する（ステップＳ５０６）。そして、吸込パネル開閉器５は、吸込パネル２がオープンされる前の位置まで吸込パネル２を駆動し、空気調和機の運転が継続される。
【００６３】
（実施の形態６）
図９は、実施の形態６に係る空気調和機の動作を示すフローチャートである。実施の形態６に係る空気調和機は、実施の形態１において前述した空気調和機１００と同一の構成を有している。実施の形態１において前述した図４に示すフローチャートの構成要素と同一の構成要素には同一の参照符号を付している。従って、これらの構成要素の詳細な説明は省略する。
【００６４】
まず、吸入グリル開閉検出器３は、吸入グリル１が開くと（ステップＳ１０１）、吸入グリル１が開いたことを検出する（ステップＳ１０２）。そして吸入グリル開閉検出器３は、吸入グリルオープン信号を制御器４へ送信する（ステップＳ１０３）。次に制御器４は、吸入グリルオープン信号を受信する（ステップＳ１０４）。
【００６５】
そして、吸入グリル開閉検出器３は、吸入グリル１が閉じると、吸入グリル１が閉じたことを検出する（ステップＳ６０４）。そして吸入グリル開閉検出器３は、吸入グリルクローズ信号を制御器４へ送信する（ステップＳ６０５）。次に制御器４は、吸入グリルクローズ信号を受信する（ステップＳ６０６）。
【００６６】
その上で制御器４は、パネルクローズ信号を吸込パネル開閉器５へ送信する（ステップＳ６０７）。そして吸込パネル開閉器５は、吸込パネル２を閉じる。このため、より確実に閉動作の完了が可能となる。
【００６７】
次に制御器４は、パネルオープン信号を吸込パネル開閉器５へ送信する（ステップＳ６０８）。そして吸込パネル開閉器５は、吸込パネル２を開ける。
【００６８】
（実施の形態７）
図１０は、実施の形態７に係る空気調和機の動作を示すフローチャートである。実施の形態７に係る空気調和機は、実施の形態１において前述した空気調和機１００と同一の構成を有している。実施の形態１において前述した図４に示すフローチャートの構成要素と同一の構成要素には同一の参照符号を付している。従って、これらの構成要素の詳細な説明は省略する。
【００６９】
吸入グリル１がオープンしていることを示す吸入グリルオープン信号を制御器４によって受信すると（ステップＳ１０４）、タイマー６は、吸入グリルオープン信号を制御器４が受信したときからの時間を計時する（ステップＳ７０５）。そして、所定の時間が経過すると（ステップＳ７０６）、制御器４はパネルクローズ信号を吸込パネル開閉器５へ送信し、吸込パネル開閉器５は吸込パネル２を閉じる（ステップＳ７０７）。このように、吸入グリルオープン信号を制御器４が受信したときから所定の時間が経過した後にパネル閉の指示が出される。
【００７０】
そして、制御器４は、パネルオープン信号を吸込パネル開閉器５へ送信する（ステップＳ７０８）。次に吸込パネル開閉器５は、吸込パネル２を開ける。
【００７１】
（実施の形態８）
図１１は、実施の形態８に係る空気調和機の動作を示すフローチャートである。実施の形態８に係る空気調和機は、実施の形態１において前述した空気調和機１００と同一の構成を有している。実施の形態１において前述した図４に示すフローチャートの構成要素と同一の構成要素には同一の参照符号を付している。従って、これらの構成要素の詳細な説明は省略する。
【００７２】
吸入グリル開閉検出器３は、空気調和機の停止中に吸入グリル１が開くと（ステップＳ１０１）、吸入グリル１が開いたことを検出する（ステップＳ１０２）。そして、吸入グリル１が開いたことが接点オープン履歴記憶手段としてのメモリ８に記憶される（ステップＳ８０３）。
【００７３】
次に制御器４は、吸入グリル開閉検出器３から吸入グリルオープン信号を受信する（ステップＳ１０４）。その後、制御器４は、リモコンＯＮ信号を受信する(ステップＳ８０５)。そして、接点オープン履歴がメモリ８に記憶されているか否かを判断する（ステップＳ８０６）。接点オープン履歴がメモリ８に記憶されていると判断したときは（ステップＳ８０６においてＹＥＳ）、パネルクローズ信号を制御器４は吸込パネル開閉器５へ送信する（ステップＳ８０７）。そして吸込パネル開閉器５は、吸込パネル２を閉じる。
【００７４】
接点オープン履歴がメモリ８に記憶されていないと判断したとき（ステップＳ８０６においてＮＯ）、またはパネルクローズ信号を制御器４が吸込パネル開閉器５へ送信したときは（ステップＳ８０７）、制御器４は、パネルオープン信号を吸込パネル開閉器５へ送信する（ステップＳ８０８）。そして吸込パネル開閉器５は、吸込パネル２を開ける。
【００７５】
このように、履歴が有る場合はパネル閉動作に入り、履歴が無い場合は即座にパネルオープン動作に移るので、必要なときのみに閉動作を行う。このため、立ち上げ特性が悪化することを防止することができる。
【００７６】
（実施の形態９）
図１２は、実施の形態９に係る空気調和機の動作を示すフローチャートである。実施の形態９に係る空気調和機は、実施の形態１において前述した空気調和機１００と同一の構成を有している。実施の形態１において前述した図４に示すフローチャートの構成要素と同一の構成要素には同一の参照符号を付している。従って、これらの構成要素の詳細な説明は省略する。
【００７７】
空気調和機停止中に図示しないリモコンから本体ＯＮ信号を受信すると（ステップＳ９０１）、制御器４はパネルクローズ信号を吸込パネル開閉器５へ送信する。そして吸込パネル開閉器５は吸込パネル２を閉じる（ステップＳ９０２）。
【００７８】
次に、制御器４は、パネルオープン信号を吸込パネル開閉器５へ送信する（ステップＳ９０３）。そして吸込パネル開閉器５は、吸込パネル２を開ける。
【００７９】
このように、常に吸込パネル２を閉方向に動作させた後に開動作を行うことで、空気調和機停止中の検出を行わなくても閉動作を完了出来ないようにする。
【００８０】
（実施の形態１０）
図１３は、実施の形態１０に係る空気調和機の動作を示すフローチャートである。実施の形態１０に係る空気調和機は、実施の形態１において前述した空気調和機１００と同一の構成を有している。実施の形態１において前述した図４に示すフローチャートの構成要素と同一の構成要素には同一の参照符号を付している。従って、これらの構成要素の詳細な説明は省略する。
【００８１】
リモコンＯＮ信号を制御器４が受信すると（ステップＳ１００１）、電源投入履歴手段としてのメモリ８に記憶された電源投入履歴に基づいて、パネルクローズ信号が切り換えられる（ステップＳ１００３）。そして、直前に電源を投入した履歴があるか否かを判断する（ステップＳ１００４）。
【００８２】
直前に電源を投入した履歴が無い場合すなわちリモコンＯＦＦによる場合は（ステップＳ１００４においてＮＯ）、動作小のパネルクローズ信号により、小さい動きの指示が制御器４から吸込パネル開閉器５へ送信される。直前に電源を投入した履歴がある場合には（ステップＳ１００４においてＹＥＳ）、動作大のパネルクローズ信号が発信される。そして、その後所定の位置まで吸込パネル２が開かれることで（ステップＳ１００７）、最小限の時間で確実に吸込パネル２の閉動作を完了する。
【００８３】
（実施の形態１１）
図１４は、実施の形態１１に係る空気調和機の動作を示すフローチャートである。実施の形態１１に係る空気調和機は、実施の形態１において前述した空気調和機１００と同一の構成を有している。実施の形態１において前述した図４に示すフローチャートの構成要素と同一の構成要素には同一の参照符号を付している。従って、これらの構成要素の詳細な説明は省略する。
【００８４】
吸入グリル開閉検出器３から吸入グリルオープン信号を制御器４が受信する（ステップＳ１０４）。そして、吸入グリル１が開かれることで生じる吸込パネルクローズ信号が送信されてから吸込パネルオープン信号が送信されている間（ステップＳ１１０５、ステップＳ１１０６）、室内風量切り替え器９は風量を増加させる（ステップＳ１１０９）。そして、吸込パネルオープン信号が停止する（ステップＳ１１０７）。その後、室内風量切り替え器９は当初の風量まで室内風量を戻して継続運転する（ステップＳ１１１０）。このように室内風量切り替え器９が風量を切り替えると、吸込パネル２の開閉動作時における能力低下を補うことが出来る。
【産業上の利用可能性】
【００８５】
本発明は、空気調和機本体側に設けられた第１駆動機構と、吸入グリルの開閉に応じて第１駆動機構と着脱自在に設けられた第２駆動機構とを含む開閉機構によって吸込パネルを開閉する空気調和機に適用することができる。
【図面の簡単な説明】
【００８６】
【図１】実施の形態１に係る空気調和機の構成を示すブロック図
【図２】実施の形態１に係る空気調和機の室内機の構成を示す断面図
【図３】実施の形態１に係る空気調和機の室内機に設けられた吸込パネルの開閉機構の構成を示す模式図
【図４】実施の形態１に係る空気調和機の動作を示すフローチャート
【図５】実施の形態２に係る空気調和機の動作を示すフローチャート
【図６】実施の形態３に係る空気調和機の動作を示すフローチャート
【図７】実施の形態４に係る空気調和機の動作を示すフローチャート
【図８】実施の形態５に係る空気調和機の動作を示すフローチャート
【図９】実施の形態６に係る空気調和機の動作を示すフローチャート
【図１０】実施の形態７に係る空気調和機の動作を示すフローチャート
【図１１】実施の形態８に係る空気調和機の動作を示すフローチャート
【図１２】実施の形態９に係る空気調和機の動作を示すフローチャート
【図１３】実施の形態１０に係る空気調和機の動作を示すフローチャート
【図１４】実施の形態１１に係る空気調和機の動作を示すフローチャート
【図１５】従来の空気調和機の室内機の構成を示す断面図
【図１６】従来の室内機に設けられた吸込パネルの開閉機構の構成を示す模式図
【符号の説明】
【００８７】
１  吸入グリル
２  吸込パネル
３  吸入グリル開閉検出器
４  制御器
５  吸込パネル開閉器
【図１】
2005114256.tif 000003
【図２】
2005114256.tif 000004
【図３】
2005114256.tif 000005
【図４】
2005114256.tif 000006
【図５】
2005114256.tif 000007
【図６】
2005114256.tif 000008
【図７】
2005114256.tif 000009
【図８】
2005114256.tif 000010
【図９】
2005114256.tif 000011
【図１０】
2005114256.tif 000012
【図１１】
2005114256.tif 000013
【図１２】
2005114256.tif 000014
【図１３】
2005114256.tif 000015
【図１４】
2005114256.tif 000016
【図１５】
2005114256.tif 000017
【図１６】
2005114256.tif 000018